(57)【要約】【課題】食品用容器の蓋体面に印刷した内容物表示を、陳列棚の上下位置に関係なく容易に確認できるようにするため、容器を横立てにし、蓋体表面をほぼ垂直にして正立させるようにした食品用容器を提供すること。【解決手段】容器本体と、容器本体に取着された蓋体とからなる食品用容器であって、容器本体の口部には、直線部を設けたフランジが連設され、該フランジの直線部端縁から平坦壁が垂設されており、平坦壁は、容器の軸方向に対してほぼ平行になっていることを特徴とする。【選択図】　　　　図１
2004123159.tif 000002
【特許請求の範囲】
【請求項１】
容器本体と、容器本体に取着された蓋体とからなる食品用容器であって、
容器本体の口部には、直線部を設けたフランジが連設され、該フランジの直線部端縁から平坦壁が垂設されており、
平坦壁は、容器の軸方向に対してほぼ平行になっていることを特徴とする食品用容器。
【請求項２】
容器本体と、蓋体とからなる食品用容器であって、
容器本体は、周縁にフランジを設けた口部を具えており、
蓋体は、容器本体の口部のフランジに嵌合する嵌着部と、該嵌着部から延設された張出部とを具えていることを特徴とする食品用容器。
【請求項３】
容器本体と、蓋体とからなる食品用容器であって、
容器本体は、口部周縁に、フランジと該フランジより延設された張出部とを具えており、
蓋体は、容器本体の口部内周に嵌合する嵌着部を具えていることを特徴とする食品用容器。
【請求項４】
張出部が、容器の軸方向にほぼ平行な袋状体を垂設していることを特徴とする請求項２，３記載の食品用容器。
【発明の詳細な説明】
【０００１】
【発明の属する技術分野】
本発明は、生鮮食品、加工食品、即席食品等の食品用容器、とくに、商品陳列時に、蓋上面をほぼ垂直にして、横立てできるようにした容器に関する。
【０００２】
【従来の技術】
スーパー等の店頭の陳列棚に展示された食品用容器の蓋に印刷した内容物表示を、外部から容易に確認できるようにするため、容器胴部の横断面を角形として、容器を傾斜状態に維持し展示することは、従来より知られている（例えば、特許文献１参照。）。
【０００３】
【特許文献１】
特開平７−２５７５４１号公報
【０００４】
【発明が解決しようとする課題】
しかしながら、上記従来技術は、容器胴部横断面を角形にするとともに、各面を所要の角度傾斜させることによって、容器の斜め立てを可能としており、横断面円形の容器には適用できないという問題があった。
そのため容器のデザインに大きな制約を受けるという問題も派生した。
【０００５】
上記従来技術は、展示にあたって、容器を上下に積み重ね、一番上の容器を斜め立てして蓋の表示を確認容易にしたり、すべての容器を陳列棚上に斜め立てして並べたりしている。
一番上の容器を斜め立てした場合には、購買者が一番上の容器を購入するために取っていくと、陳列棚には上下に積み重ねられた容器が残り、容器の蓋の表示を上から見なければならず、容易に確認することができなくなるという問題があった。
また、棚上に斜め立てする場合には、人の目線より上の棚では、蓋の表示が簡単に確認できなくなるという問題があった。
【０００６】
また、最近では、表面に内容物表示を印刷した紙箱に、容器の上面を垂直になるように容器を横立てにして収容して包装し、陳列することも、一般に行われるようになっているが、容器とは別に紙箱を製造しなければならず、生産コストが高くなるという問題があった。
【０００７】
本発明は、上記の問題を解決することを課題とし、食品用容器の蓋体面に印刷した内容物表示を、陳列棚の上下位置に関係なく容易に確認できるようにするため、容器を横立てにし、蓋体表面をほぼ垂直にして正立させるようにした食品用容器を提供することを目的とする。
【０００８】
【課題を解決するための手段】
本発明は、上記の課題を解決するため、食品用容器として、容器本体と、容器本体に取着された蓋体とからなる食品用容器であって、容器本体の口部には、直線部を設けたフランジが連設され、該フランジの直線部端縁から平坦壁が垂設されており、平坦壁は、容器の軸方向に対してほぼ平行になっていることを特徴とする構成を採用する。
【０００９】
食品用容器の別実施形態として、容器本体と、蓋体とからなる食品用容器であって、容器本体は、周縁にフランジを設けた口部を具えており、蓋体は、容器本体の口部のフランジに嵌合する嵌着部と、該嵌着部から延設された張出部を具えていることを特徴とする構成を採用し、または、容器本体と、蓋体とからなる食品用容器であって、容器本体は、口部周縁に、フランジと該フランジより延設された張出部とを具えており、蓋体は、容器本体の口部内周に嵌合する嵌着部を具えていることを特徴とする構成を採用し、張出部の実施例として、張出部が、容器の軸方向にほぼ平行な袋状体を垂設していることを特徴とする構成を付加する。
【００１０】
【発明の実施の形態】
以下、本発明の第１実施形態について図面を参照して説明する。
図１〜３に示すように、本発明の食品用容器は、容器本体Ａと蓋体Ｂとから構成されている。
【００１１】
容器本体Ａは、広口の口部１と、椀状の胴部２、および底部３とからなり、口部１と胴部２の横断面の形状は、弦月形状となっている。
口部１の上端縁は同じく弦月形状であって、周縁から直線部４と円弧部５からなるフランジ６が延設されており、口部１の下端には、段部７が設けられ、胴部２に続いている。
【００１２】
フランジ６の端縁から直線部４および円弧部５に対応して、少なくとも容器本体の積み重ねに必要な角度をつけて下方に延びる平坦壁８と円弧壁９とからなる外周壁１０が垂設されている。
平坦壁８の上方には、フランジ６との連結部に凸条１１が形成されており、平坦壁８、円弧壁９を含む外周壁１０下端には、リブ１２が設けられている。
【００１３】
蓋体Ｂは、上面に内容物の表示を印刷したシート状物が用いられ、口部１のフランジ６上面に熱シールされている。
蓋体Ｂとして、上端縁に突出環が設けられ口部１内周に嵌合する周壁と底蓋とからなる蓋体、或いは口部１のフランジ６の周縁を覆う周壁を垂下した蓋板とからなる蓋体であってもよい。
【００１４】
次に、本実施形態食品用容器の作用効果について説明する。
本食品容器には、生鮮食品、加工食品、即席食品等が内容物として収納され、商品の陳列にあたっては、図３に示すように、陳列棚Ｃに、容器本体Ａの平坦壁８を載置させると、容器本体Ａは、陳列棚Ｃに対して、蓋体Ｂがほぼ垂直になるように置くことが可能となる。
従って、コンビニエンス・ストア、スーパーマーケット等の陳列棚の高い位置、特に最上段に置いても、蓋体Ｂの内容物表示を見ることができるので、展示効果が変わらず、販売促進が図れるものである。
【００１５】
食品用容器の展示にあたっては、容器本体Ａの平坦壁８の上方に設けられた凸条１１により、平坦壁８を平面上に安定して置くことができ、また、壁面も補強されるので、食品用容器を安定して展示できる。
【００１６】
内容物が即席食品の場合には、熱湯を加えたり、電子レンジで加熱して調理するが、その際、容器本体Ａの胴部２が加熱されていても、胴部２を直接把持することはなく、胴部２周壁と外周壁１０との間の空間により断熱効果が得られるので、外周壁１０を把持することによって熱さを感じることなく、容器本体Ａを持ち上げることができる。
【００１７】
外周壁の形状は、外周壁１０が外方に広がるように形成されているので、成形後に容器本体を積み重ね容積を取らずに保管して置くことができ、また容器使用後の容器廃棄にあたっては、容器を積み重ねることができるので、廃棄時にごみ容量の減少に役立たせることができる。
【００１８】
また、外周壁１０の表面、とくに円弧壁９は広巾の円錐面となっているので、印刷を施すことができ、容器を上下に積み重ねて展示しておいても、展示効果を上げることができる。
また、容器本体Ａの外周壁１０が下方に設けたリブ１２により補強されているので、外周壁１０を薄くでき、軽量化可能で容器のコストが廉価にできる。
【００１９】
次に、本発明の第２実施形態について図面を参照して説明する。
本実施形態の容器は、図４に示すように、容器本体Ａａと蓋体Ｂａとからなり、容器本体Ａａは、広口の口部２０と椀状の胴部２１、底部２２とからなっている。
口部２０の上端には、フランジ２３が延設されており、口部２０下端には、段部２４が設けられ、椀状の胴部２１に続いている。
【００２０】
蓋体Ｂａは、蓋板２５と、蓋板２５の周縁に設けられた嵌着部２６を具えており、嵌着部２６は、容器本体Ａａのフランジ２３を覆う板体２７と、下端に係止壁２８を設けた周壁２９とを具えている。
【００２１】
嵌着部２６には、図５に示すように、板体２７の外周縁の所定位置ｐから双方に接線方向に延びる細巾の端縁板３０ａ，３０ｂが連設されており、また、端縁板３０ａ，３０ｂに直交し、板体２７の外周縁に対する接線として延びる端縁板３１ａ，３１ｂが、前記端縁板３０ａ，３０ｂと円弧をもって接続されるよう連設されている。
【００２２】
端縁板３０ａと端縁板３１ａ、それらの端縁板に対応する板体２７外周縁３２ａに囲まれる部分を一区画とし、それらの内周縁に沿って袋状体３３ａが垂設されており、端縁板３０ｂと端縁板３１ｂ、それらに対応する板体２７の外周縁３２ｂとに囲まれる部分を一区画として、その内周縁に沿って袋状体３３ｂが垂設されている。
そして、前記二つの区画によって嵌着部２６の外周縁から一方向に延び、端縁板３０ａ，３０ｂを容器中心線に平行な端縁３４とする張出部３５が形成されている。
【００２３】
袋状体３３ａ，３３ｂの端縁板３０ａ，ｂ側の壁面は支持壁面３６ａ，ｂを形成しており、蓋体Ｂａの蓋板２５とほぼ直角に延びている。
その下端は、蓋体Ｂａを容器本体Ａａに被蓋したときに、胴部２１のほぼ下端に達するようになっている。
【００２４】
蓋板２５の表面には、内容物の表示が印刷されており、被蓋した容器を支持壁面３６ａ，ｂで横立てすると、蓋体Ｂａ上面がほぼ垂直になり表示を容易に見ることができるようになっている。
【００２５】
次に、本実施形態の作用効果について説明する。
本発明食品用容器は、容器本体Ａａに内容物を入れて、蓋体Ｂａを被蓋し、包装される。
商品の陳列にあたっては、袋状体３３ａ，３３ｂの支持壁面３６ａ，ｂを陳列棚Ｃに載置するようにすると、蓋板２５上面をほぼ垂直になるようにして容器を横立てできる。
したがって、第一実施形態と同様な効果が得られるものである。
【００２６】
また、袋状体３３ａ，３３ｂは、内容物が即席食品であれば、具、調味料の収納部として利用することができ、張出部３５の所要の個所に弱化ライン等を設けることによって、袋状体３３ａ，ｂを具えた張出部３５を取り去ることもできる。
【００２７】
前記第２実施形態では、蓋体Ｂａに袋状体３３ａ，３３ｂを設け、支持壁面３４，３５で容器を横立てするようにしたが、容器本体Ａａのフランジ２３を延ばして張出部を設け、袋状体を形成して支持壁面を形成するようにしてもよい。
【００２８】
前記各実施形態では、シートを用いて熱成形によって容器を成形しており、積層シートを用いて積層容器も容易に成形することができる。
また、容器を射出成形によって成形することもでき、その場合に、第２実施形態においては、袋状体に変え、張出部の端縁に沿って板状の支持壁面を垂設するようにしてもよい。
【００２９】
【発明の効果】
本発明は、上記のように構成されているから、次の効果を奏する。
容器を横立てにして、蓋体表面がほぼ垂直になるように正立させることができるので、陳列棚の位置の上下に係わらず、蓋体表面に印刷された内容物表示が常に見えるようになった。
そのため、コンビニエンス・ストア、スーパーマーケット等の陳列棚の高い位置、特に最上段に置いても、蓋体表面がほぼ垂直になり、表示を見ることができるので、展示効果は大きくなり、販売促進が図れる。
【図面の簡単な説明】
【図１】本発明の第１実施形態に係る食品用容器の縦断面図である。
【図２】容器本体の平面図である。
【図３】食品用容器の陳列時の斜視図である。
【図４】第２実施形態に係る食品用容器を示す一部断面正面図である。
【図５】食品用容器の平面図である。
【図６】食品用容器の陳列時の斜視図である。
【符号の説明】
Ａ、Ａａ　　　容器本体
Ｂ、Ｂａ　　　蓋体
Ｃ　　　　　　陳列棚
１、２０　　　口部
２、２１　　　胴部
３、２２　　　底部
４　　　　　　直線部
５　　　　　　円弧部
６、２３　　　フランジ
７、２４　　　段部
８　　　　　　平坦壁
９　　　　　　円弧壁
１０　　　　　外周壁
１１　　　　　凸条
１２　　　　　リブ
１３　　　　　空間
２５　　　　　蓋体
２６　　　　　嵌着部
２７　　　　　板体
２８　　　　　係止壁
２９　　　　　周壁
３０ａ，ｂ、３１ａ，ｂ　端縁板
３２ａ，ｂ　　外周縁
３３ａ，ｂ　　袋状体
３４　　　　　端縁
３５　　　　　張出部
３６ａ，ｂ　　支持壁面
【図１】
2004123159.tif 000003
【図２】
2004123159.tif 000004
【図３】
2004123159.tif 000005
【図４】
2004123159.tif 000006
【図５】
2004123159.tif 000007
【図６】
2004123159.tif 000008